(57)【特許請求の範囲】
【請求項１】
ランプの駆動電源を作成する電源部に対して電池内蔵型の誘導灯装置及び電源外置型の誘導灯装置における常時に外部から入力されるＡＣ電源の入力波形、又は、電源外置型の誘導灯装置における非常時に外部から入力されるＤＣ電源の入力波形に基づいて、該入力波形がＡＣ電源の入力波形のときに「ハイ」と「ロー」の２値の判別信号を出力し、該入力波形がＤＣ電源の入力波形のときに前記２値のうちいずれか一方の値である第１の値の判別信号を出力し、ＡＣ電源もＤＣ電源も入力されていないときに前記２値のうちいずれか他方の値である第２の値を出力する判別回路と、
判別回路から出力された判別信号の２値の変化を計数して記憶する第１の記憶手段、及び、判別回路から出力された判別信号の第１の値の継続時間を計数して記憶する第２の記憶手段を含み、所定時間毎に、
前記第２の記憶手段が記憶している計数値が一定値に達し、且つ前記第１の記憶手段が記憶している計数値が一定値に達しているときにはＡＣ電源が入力されている状態と判別し、
前記第２の記憶手段が記憶している計数値が一定値に達し、且つ前記第１の記憶手段が記憶している計数値が一定値に達していないときにはＤＣ電源が入力されている状態と判別し、
前記第２の記憶手段が記憶している計数値が一定値に達していないときには電源が入力されていない状態と判別し、
ＡＣ電源が入力されている状態又はＤＣ電源が入力されている状態と判別したときにはランプを点灯し、電源が入力されていない状態と判別したときにはランプを消灯する制御部と、
を備えることを特徴とする誘導灯電源回路。
【請求項２】
前記制御部は、ＡＣ電源が入力されている状態であると判別した際とＤＣ電源が入力されている状態であると判別した際とで異なるランプ駆動電圧を設定する出力電圧切換信号を電源部に出力することを特徴とする請求項１に記載の誘導灯電源回路。
【発明の詳細な説明】
【０００１】
【発明の属する技術分野】
この発明は、常時にＡＣ電源によってランプを点灯し、非常時に誘導灯装置の内部又は外部に配置されたＤＣ電源によってランプを駆動する誘導灯用電源回路に関し、特に、誘導灯装置の内部にＤＣ電源を内蔵した電池内蔵型と外部にＤＣ電源を設置した電源別置型との両方の誘導灯装置に適用できる誘導灯用電源回路に関する。
【０００２】
【従来の技術】
非常口の場所や避難経路等を表示する誘導灯装置では、常時はランプに対して安定した電力供給を維持するためにＡＣ電源から電力を供給するとともに、ＤＣ電源となる電池を充電しておき、ＡＣ電源からの電力供給が受けられない非常時には電池からＤＣ電源をランプに供給することにより、非常時においても非常口の場所や避難経路等を表示できるようにしている。また、一般に、誘導灯装置は、常時にのみランプを消灯できるようにしている。一方、このような誘導灯装置として、従来より、電池を装置内に内蔵した電池内蔵型と電池を装置の外部に設置した電源別置型との２種類がある。
【０００３】
従来の電池内蔵型の誘導灯装置は、図８（Ａ）に示すように、ランプ８１と常時オン／オフスイッチ８２含むＡＣ電源８３との間に、ＡＣ電源のＡＣ１００Ｖ電源を降圧して４Ｖ程度のＤＣ電源を作成する電源部８４、電源部８４から出力されたＤＣ電源によって内蔵電池８６を充電するとともに電源部８４から出力されたＤＣ電源又は内蔵電池８６のＤＣ電源を後段に出力する電池充放電切換部８５、電池充放電切換部８５から出力されたＤＣ電源によってランプ８１を点灯駆動するランプ点灯回路部８７、常時オン／オフスイッチ８２の開閉状態を検出して常時オン／オフ検出信号を出力する常時オン／オフ検出回路８８、並びに、常時オン／オフ検出回路８８から出力された常時オン／オフ検出信号及び電源部８４の出力電圧と電池充放電切換部８５の出力電圧との関係に基づく常時／非常時の検出結果に応じてランプ点灯回路部８７にランプオン／オフ信号を出力する制御部８９を備えている。
【０００４】
この構成により、電池内蔵型の誘導灯装置８０では、ＡＣ電源８３からの電力供給が可能な常時において、常時オン／オフスイッチ８２の操作状態に応じてランプ８１を点灯／消灯するとともに電池充放電切換部８５によって内蔵電池８６を充電する。また、ＡＣ電源８３からの電力供給が不可能な非常時において、内蔵電池８６をＤＣ電源としてランプ８１を点灯する。したがって、電池内蔵型の誘導灯装置８０では、電源部８０にはＡＣ１００Ｖのみが入力される。
【０００５】
これに対して、電源別置型の誘導灯装置では、図８（Ｂ）に示すように、電池内蔵型の誘導灯装置８０の装置内部に備えられている電池充放電切換部８５及び内蔵電池８６に代えて装置外部にＤＣ電源９１及び常時／非常時切換スイッチ９２を備えており、常時にはＡＣ１００Ｖが入力され、非常時にはＤＣ１００Ｖが入力される。その他の構成は電池内蔵型の誘導灯装置８０と同様であり、２種類の誘導灯装置を製造する場合の製造コストを削減するために互いの部品の共通化が図られている。このため、電源部８４については、電池内蔵型の誘導灯装置８０では電源ＡＣ１００Ｖのみが入力されるが、電源別置型の誘導灯装置９０ではＡＣ１００Ｖ及びＤＣ１００Ｖが選択的に入力されるため、ＡＣ１００Ｖ及びＤＣ１００Ｖの両方に対応できる構成にされている。
【０００６】
常時オン／オフ検出回路８８は、図９に示すように構成されており、ＡＣ電源８３から入力されたＡＣ１００Ｖは、ダイオードＤ１によって半波整流され、フォトカプラＰｃｈ１の発光ダイオードを電源の半周期毎にオンする。フォトカプラＰｃｈ１の受光トランジスタ側にはコンデンサＣ１が接続されており、フォトカプラＰｃｈ１の受光トランジスタがオンしている間にコンデンサＣ１に電荷が蓄えられることにより、ＡＣ電源８３からＡＣ１００Ｖが入力されている間においてトランジスタＴｒ１がオンし続け、制御部８９には“Ｌ”レベルのオン／オフ検出信号が入力される。一方、外部のＤＣ電源９１からＤＣ１００Ｖが入力されている間には、フォトカプラＰｃｈ１の発光ダイオードは常時オンし、フォトカプラＰｃｈ１の受光トランジスタ及びトランジスタＴｒ１がオンし続け、制御部８９には“Ｌ”レベルの常時オン／オフ検出信号が入力される。
【０００７】
これに対して、電源部８４にＡＣ１００Ｖ又はＤＣ１００Ｖのいずれも入力されていない状態では、フォトカプラＰｃｈ１の発光ダイオードはオフし、フォトカプラＰｃｈ１の受光トランジスタ及びトランジスタＴｒ１もオフすることによって制御部８９には“Ｈ”レベルの常時オン／オフ検出信号が入力される。
【０００８】
電池内蔵型の誘導灯装置における制御部８９は、図１０のフローチャートに示すように、電源部８４及び電池充放電切換部８５の出力電圧の有無に応じて常時又は非常時を判別し（２０１）、電源部８４から所定の電圧が出力されている常時においてのみ常時オン／オフ検出回路８８からの常時オン／オフ検出信号の状態を判別し（２０２）、常時オン／オフ検出信号が“Ｈ”レベルの場合にランプ点灯回路部８７に対してランプ８１の駆動を停止すべき旨のランプオン／オフ信号を出力し（２０３）、常時オン／オフ検出信号が“Ｌ”レベルの場合にランプ点灯回路部８７に対してランプ８１を駆動すべき旨のランプオン／オフ信号を出力する（２０４）。電源部８４から所定の電圧が出力されていない非常時には、常時オン／オフ検出信号の状態を判別することなくランプを点灯する（２０１→２０４）。
【０００９】
以上のように構成することにより、電池内蔵型の誘導灯装置８０と電源外置型の誘導灯装置９０とにおいて、電源部８４、ランプ点灯回路部８７、常時オン／オフ検出回路８８及び制御部８９からなる誘導灯用電源回路を共用することができるとともに、電池内蔵型の誘導灯装置８０において制御部８９は常時であるか非常時であるかを判別することができ、常時の場合に常時オン／オフ検出信号の状態を判別する。電源部８４から出力されるＤＣ電圧と電池の放電基準電圧とを組み合わせることにより、ランプ点灯回路部８７に入力される電圧を常時と非常時とで変化させ、ランプ８１の光量を変えるようにしている。
【００１０】
【発明が解決しようとする課題】
しかしながら、従来の誘導灯用電源回路を電源外置型の誘導灯装置に適用した場合、制御部は電源部に電源が入力されているか否かを検出することはできるが、電源部にＡＣ電源が入力されているのかＤＣ電源が入力されているのかを判別することができず、常時であるか非常時であるかを判別できないため、このままの構成では常時と非常時とでランプの光量を変えることができない。このため、電源外置型の誘導灯装置において常時と非常時とでランプの光量を変えるためには、電源部にＡＣ電源が入力されているのかＤＣ電源が入力されているのかを判別するための電池内蔵型の誘導灯装置には不要の回路が別途必要になり、電池内蔵型と電源外置型とで誘導灯用電源回路の構成を一致させることができず、製造工程の煩雑化を招く問題があり、電池内蔵型と電源外置型とで誘導灯用電源回路の構成を一致させると電池内蔵型の誘導灯用電源回路に本来不要な構成が含まれ、回路構成の複雑化によるコストの上昇を招く問題がある。
【００１１】
この発明の目的は、簡単な同一の回路構成により電池内蔵型と電源外置型とのいずれの誘導灯装置においても常時であるか非常時であるかを判別することができ、電源外置型の誘導灯装置において常時と非常時とでランプの光量を変えるために電源部にＡＣ電源が入力されているのかＤＣ電源が入力されているのかを判別する回路を別途設ける必要がなく、製造工程の煩雑化や回路構成の複雑化によるコストの上昇を招くことのない誘導灯用電源回路を提供することにある。
【００１２】
【課題を解決するための手段】
この発明は、上記の課題を解決するための手段として、以下の構成を備えている。
【００１３】
(1) ランプの駆動電源を作成する電源部に対して電池内蔵型の誘導灯装置及び電源外置型の誘導灯装置における常時に外部から入力されるＡＣ電源の入力波形、又は、電源外置型の誘導灯装置における非常時に外部から入力されるＤＣ電源の入力波形に基づいて、該入力波形がＡＣ電源の入力波形のときに「ハイ」と「ロー」の２値の判別信号を出力し、該入力波形がＤＣ電源の入力波形のときに前記２値のうちいずれか一方の値である第１の値の判別信号を出力し、ＡＣ電源もＤＣ電源も入力されていないときに前記２値のうちいずれか他方の値である第２の値を出力する判別回路と、
判別回路から出力された判別信号の２値の変化を計数して記憶する第１の記憶手段、及び、判別回路から出力された判別信号の第１の値の継続時間を計数して記憶する第２の記憶手段を含み、所定時間毎に、
前記第２の記憶手段が記憶している計数値が一定値に達し、且つ前記第１の記憶手段が記憶している計数値が一定値に達しているときにはＡＣ電源が入力されている状態と判別し、
前記第２の記憶手段が記憶している計数値が一定値に達し、且つ前記第１の記憶手段が記憶している計数値が一定値に達していないときにはＤＣ電源が入力されている状態と判別し、
前記第２の記憶手段が記憶している計数値が一定値に達していないときには電源が入力されていない状態と判別し、
ＡＣ電源が入力されている状態又はＤＣ電源が入力されている状態と判別したときにはランプを点灯し、電源が入力されていない状態と判別したときにはランプを消灯する制御部と、
を備えることを特徴とする。
【００１４】
この構成においては、電源部に対するＡＣ電源の入力波形、又は、ＤＣ電源の入力波形に基づいて判別回路から２値の判別信号が出力され、この判別信号の内容に応じて変化する第１及び第２の記憶手段の記憶内容に基づいてＡＣ電源が入力されている状態、ＤＣ電源が入力されている状態、又は、電源が入力されていない状態のいずれの状態であるかが判別される。したがって、電源部に対する電源の入力波形に基づいて作成された判別信号から３種類の入力状態が直接判別され、判別信号を作成し出力する判別回路の構成が簡略化される。また、電源部の前段に対する電源の入力波形から作成された判別信号に基づいて入力状態が判別されるため、入力状態の判別処理が電源部の後段における回路構成に影響を受けることがなく、電池内蔵型の誘導灯装置と電源外置型の誘導灯装置とにおいて電源部の後段に選択的に配置される電池充放電切換部及び内蔵電池以外の構成が完全に共通化される。
【００１５】
(2) 前記制御部は、判別信号の内容に応じて第１及び第２の記憶手段の記憶内容を変化させる処理を所定時間間隔で所定回数実行した後の第１及び第２の記憶手段の記憶内容に基づいて各状態を判別することを特徴とする。
【００１６】
この構成においては、判別信号の内容に応じて所定時間間隔で所定回数変化された後の第１及び第２の記憶手段の記憶内容に基づいて電源の入力状態が判別される。したがって、電源の入力波形及び判別信号におけるノイズ成分の影響を受けることなく電源の入力状態が正確に判別される。
【００１７】
(3) 前記制御部は、電源部に対して、ＡＣ電源が入力されている状態であると判別した際とＤＣ電源が入力されている状態であると判別した際とで異なるランプ駆動電圧を設定する出力電圧切換信号を出力することを特徴とする。
【００１８】
この構成においては、ＡＣ電源が入力されている状態とＤＣ電源が入力されている状態とで異なるランプ駆動電圧を電源部に設定する出力電圧切換信号が制御部から出力される。したがって、電源外置型の誘導灯装置においても、ＡＣ電源が入力される常時とＤＣ電源が入力される非常時とにおいてランプの光量が任意に変更される。
【００１９】
【発明の実施の形態】
図１（Ａ）及び（Ｂ）は、この発明の実施形態に係る誘導灯用電源回路を適用した電池内蔵型の誘導灯装置及び電源外置型の誘導灯装置の構成を示す図である。この実施形態に係る誘導灯用電源回路は、ランプ１と常時オン／オフスイッチ２含むＡＣ電源３との間に配置される電源部４、ランプ点灯回路部７、判別回路８及び制御部９からなる。電源部４及びランプ点灯回路部７は、図８に示した従来の電源部８４及びランプ点灯回路部８７と同一であり、電源部４はＡＣ電源のＡＣ１００Ｖ電源を降圧して４Ｖ程度のＤＣ電源を作成し、ランプ点灯回路部７は制御部９から出力されるランプオン／オフ信号に基づいてランプ１を点灯駆動する。なお、図１（Ａ）に示すように、電池内蔵型の誘導灯装置１０に適用する場合には、図８（Ａ）に示した従来の電池充放電切換部８５と同様に、電源部４から出力されたＤＣ電源によって内蔵電池６を充電するとともに電源部４から出力されたＤＣ電源又は内蔵電池６のＤＣ電源を後段に出力する電池充放電切換部５が備えられる。
【００２０】
図２は、上記誘導灯用電源回路に含まれる判別回路の構成を示す図である。判別回路８は、ＡＣ電源３から入力されたＡＣ１００ＶをダイオードＤ１によって半波整流し、フォトカプラＰｃｈ１の発光ダイオードを所定の周期でオンする。フォトカプラＰｃｈ１の受光トランジスタのオン／オフ状態は、コンデンサ等を介することなく判別信号ＡＣＳＩとして制御部９に直接入力される。
【００２１】
図３は、上記誘導灯用電源回路を電源外置型の誘導灯装置に適用した場合における判別回路から制御部に入力される判別信号を示す図である。電源外置型の誘導灯装置２０にＡＣ電源３からＡＣ１００Ｖが入力されている場合には、判別信号ＡＣＳＩは“Ｈ”レベル及び“Ｌ”レベルを電源の半周期毎に繰り返し切り換える。また、電源外置型の誘導灯装置２０にＤＣ１００Ｖが入力されている場合には、判別信号ＡＣＳＩは常時“Ｌ”レベルをとる。さらに、電源外置型の誘導灯装置２０にＡＣ１００Ｖ及びＤＣ１００Ｖのいずれも入力されていない場合には、判別信号ＡＣＳＩは常時“Ｈ”レベルをとる。
【００２２】
図４は、上記誘導灯用電源回路を適用した電源外置型の誘導灯装置に対するＡＣ電源の入力波形と判別回路から制御部に入力される判別信号との関係を示す図である。電源外置型の誘導灯装置２０に対して５０ＨｚのＡＣ電源３からＡＣ１００Ｖが入力された場合には、判別回路８から制御部９に対して周期Ｔ＝２０ｍｓの判別信号ＡＣＳＩが出力される。また、電源外置型の誘導灯装置２０に対して６０ＨｚのＡＣ電源３からＡＣ１００Ｖが入力された場合には、判別回路８から制御部９に対して周期Ｔ＝１６．６７ｍｓの判別信号ＡＣＳＩが出力される。
【００２３】
判別信号ＡＣＳＩにおける“Ｌ”レベルの期間ＴＬは、判別回路８のダイオードＤ１、ツェナダイオードＺＤ１及びフォトカプラＰｃｈ１の特性等によって定まり、ＡＣ電源３から入力されるＡＣ１００Ｖが５０Ｈｚの場合には５≦ＴＬ＜１０ｍｓ、ＡＣ電源３から入力されるＡＣ１００Ｖが６０Ｈｚの場合には４．１７≦ＴＬ＜８．３３ｍｓとなるように、即ち、電源周期の１／４以上で１／２未満の期間に設定する。
【００２４】
図５は、上記誘導灯用電源回路を適用した電源外置型の誘導灯装置における制御部の判別処理時の処理手順を示すフローチャートである。制御部９は、判別回路８から入力される判別信号ＡＣＳＩのレベルを判別した後に（１１１）、４ｂｉｔのメモリＤＣＳＷ（この発明の第１の記憶手段である。）の値が“０ＣＨ”未満又は“０ＡＨ”未満であるかの判別を行なう（１１２，１１３）。
【００２５】
制御部９は、判別信号ＡＣＳＩが“Ｌ”レベルでメモリＤＣＳＷの値が“０ＣＨ”以上である場合にはＤＣＳＷの値を“０ＢＨ”にした後に（１１４）、４ｂｉｔのメモリＡＣＳＷ（この発明の第２の記憶手段である。）をインクリメントする（１１８）。一方、制御部９は、判別信号ＡＣＳＩが“Ｌ”レベルでＤＣ用メモリＤＣＳＷの値が“０ＣＨ”未満である場合にはＤＣＳＷの値をデクリメントし（１１５）、キャリーフラグＣＦが“１”であるか否か、即ち、ＤＣＳＷが“０ＦＨ”であるか否かの判別を行う（１１６）。制御部９は、キャリーフラグＣＦが“１”である場合にはＤＣＳＷの値を“０”にした後（１１７）、キャリーフラグＣＦが“１”でない場合には直接、ＡＣ用メモリＡＣＳＷの値をインクリメントする（１１８）。この後、制御部９は、キャリーフラグＣＦが“１”であるか否か、即ち、ＡＣＳＷが“０”であるか否かの判別を行い（１１９）、キャリーフラグＣＦが“１”である場合にはＡＣＳＷの値を“０ＦＨ”にする（１２０）。
【００２６】
制御部９は、判別信号ＡＣＳＩが“Ｈ”レベルでＤＣＳＷの値が“０ＡＨ”以上である場合にはＤＣＳＷの値をインクリメントし（１２１）、キャリーフラグＣＦが“１”であるか否か、即ち、ＤＣＳＷが“０”であるか否かの判別を行う（１２２）。制御部９は、キャリーフラグＣＦが“１”である場合にはＤＣＳＷの値を“０ＦＨ”にするとともにＡＣＳＷの値をデクリメントした後（１２３）、キャリーフラグＣＦが“１”であるか否か、即ち、ＡＣＳＷが“０ＦＨ”であるか否かの判別を行い（１２４）、キャリーフラグＣＦが“１”である場合にはＡＣＳＷの値を“０”にする（１２５）。一方、制御部９は、判別信号ＡＣＳＩが“Ｈ”レベルでＤＣＳＷの値が“０ＡＨ”未満である場合にはＤＣＳＷの値を“０ＢＨ”にする（１２６）
制御部９は、上記の１１１〜１２６の処理を４ｍｓ毎に実行し、メモリＡＣＳＷ及びＤＣＳＷの最上位ビット（ｂｉｔ３）の状態に基づいて、常時オン／オフスイッチ２の状態、及び、電源電圧がＡＣであるかＤＣであるかの判別を行なう。即ち、ＡＣＳＷの最上位ビットが“１”であるか“０”であるかにより、常時オン／オフスイッチ２がオンされているかオフされているかが判別できる。また、ＤＣＳＷの最上位ビットが“１”であるか“０”であるかにより、入力電圧がＡＣ１００ＶであるかＤＣ１００Ｖであるかが判別できる。但し、ＤＣＳＷの最上位ビットは、ＡＣＳＷの最上位ビットが“１”のときのみ有効である。
【００２７】
なお、メモリＡＣＳＷ及びＤＣＳＷは４ｂｉｔのメモリであるため、“００Ｈ”〜“０７Ｈ”までは最上位ビットは“０”であり、“０８Ｈ”以上で最上位ビットが“１”になる。
【００２８】
図６は、上記制御部におけるＡＣ電源の入力状態、ＤＣ電源の入力状態及び電源入力無しの状態の検出時の判別処理の具体例を示す図である。図６（Ａ）〜（Ｄ）はＡＣ電源が入力されている状態を判別する場合を示し、図６（Ｅ）はＤＣ電源が入力されている状態を判別する場合を示し、図６（Ｆ）は電源が入力されていない状態を判別する場合を示している。
【００２９】
先ず、ＡＣ電源を判別する場合について説明する。第１の例として、図６（Ａ）に示すように、５０ＨｚのＡＣ電源が入力されており、周期Ｔが２０ｍｓで“Ｌ”レベル期間ＴＬが５ｍｓである判別信号ＡＣＳＩの“Ｌ”レベルが電源の半サイクル毎に１回ずつ検出される場合、メモリＤＣＳＷの最上位ビットは１回目の判別処理時に図５における１２６の処理で“１”にされた後、以後の判別処理時には１１４，１１５，１２１，１２６のいずれかの処理で“１”の状態が維持される。一方、メモリＡＣＳＷは判別信号ＡＣＳＩの“Ｌ”レベルを検出する毎に１１８の処理でインクリメントされ、判別処理の開始後から８サイクルの電源が入力された時にメモリＡＣＳＷが“０８Ｈ”となって最上位ビットが“１”になる。したがって、この場合には、判別処理の開始後から８サイクルの電源が入力された時に、ＤＣＳＷの最上位ビット及びＡＣＳＷの最上位ビットの両方が“１”になり、ＡＣ電源が入力されていることが判別される。
【００３０】
第２の例として、図６（Ｂ）に示すように、６０ＨｚのＡＣ電源が入力されており、周期Ｔが２０ｍｓで“Ｌ”レベル期間ＴＬが１０ｍｓである判別信号ＡＣＳＩの“Ｌ”レベルが電源の半サイクル毎に３回ずつ検出される場合、メモリＤＣＳＷの最上位ビットは１回目の判別処理時に図５における１２６の処理で“１”にされた後、以後の判別処理時には１１４，１１５，１２１，１２６のいずれかの処理で“１”の状態が維持される。一方、メモリＡＣＳＷは判別信号ＡＣＳＩの“Ｌ”レベルを検出する毎に１１８の処理でインクリメントされ、判別処理の開始後から３サイクルの電源が入力された時にメモリＡＣＳＷが“０８Ｈ”となって最上位ビットが“１”になる。したがって、この場合には、判別処理の開始後から３サイクルの電源が入力された時に、ＤＣＳＷの最上位ビット及びＡＣＳＷの最上位ビットの両方が“１”になり、ＡＣ電源が入力されていることが判別される。
【００３１】
第３の例として、図６（Ｃ）に示すように、６０ＨｚのＡＣ電源が入力されており、周期Ｔが１６．６７ｍｓで“Ｌ”レベル期間ＴＬが４．１７ｍｓである判別信号ＡＣＳＩの“Ｌ”レベルが電源の半サイクル毎に１回ずつ検出される場合、メモリＤＣＳＷの最上位ビットは１回目の判別処理時に図５における１２６の処理で“１”にされた後、以後の判別処理時には１１４，１１５，１２１，１２６のいずれかの処理で“１”の状態が維持される。一方、メモリＡＣＳＷは判別信号ＡＣＳＩの“Ｌ”レベルを検出する毎に１１８の処理でインクリメントされ、判別処理の開始後から８サイクルの電源が入力された時にメモリＡＣＳＷが“０８Ｈ”となって最上位ビットが“１”になる。したがって、この場合には、判別処理の開始後から８サイクルの電源が入力された時に、ＤＣＳＷの最上位ビット及びＡＣＳＷの最上位ビットの両方が“１”になり、ＡＣ電源が入力されていることが判別される。
【００３２】
第４の例として、図６（Ｄ）に示すように、６０ＨｚのＡＣ電源が入力されており、周期Ｔが１６．６７ｍｓで“Ｌ”レベル期間ＴＬが８．３３ｍｓである判別信号ＡＣＳＩの“Ｌ”レベルが電源の半サイクル毎に２回又は３回ずつ検出される場合、メモリＤＣＳＷの最上位ビットは１回目の判別処理時に図５における１２６の処理で“１”にされた後、以後の判別処理時には１１４，１１５，１２１，１２６のいずれかの処理で“１”の状態が維持される。一方、メモリＡＣＳＷは判別信号ＡＣＳＩの“Ｌ”レベルを検出する毎に１１８の処理でインクリメントされ、判別処理の開始後から４サイクルの電源が入力された時にメモリＡＣＳＷが“０８Ｈ”となって最上位ビットが“１”になる。したがって、この場合には、判別処理の開始後から４サイクルの電源が入力された時に、ＤＣＳＷの最上位ビット及びＡＣＳＷの最上位ビットの両方が“１”になり、ＡＣ電源が入力されていることが判別される。
【００３３】
次に、ＤＣ電源を判別する場合について説明する。図６（Ｅ）に示すように、ＤＣ電源が入力されている場合には、判別信号ＡＣＳＩは常時“Ｌ”レベルになる。このため、メモリＤＣＳＷは各判別処理時に図５における１１５の処理で初期値である“００Ｈ”が維持され、その最上位ビットは常に“０”となる。一方、メモリＡＣＳＷは判別信号ＡＣＳＩの“Ｌ”レベルを検出する毎に１１８の処理でインクリメントされ、判別処理の開始後から８サイクルの電源が入力された時にメモリＡＣＳＷが“０８Ｈ”となって最上位ビットが“１”になる。したがって、この例では４ｍｓの判別処理を８回行なったときに、ＤＣＳＷの最上位ビットが“０”でＡＣＳＷの最上位ビットが“１”の状態となり、ＤＣ電源が入力されていることが判別される。
【００３４】
最後に、電源が入力されていない状態を判別する場合について説明する。図６（Ｆ）に示すように、電源が入力されていない場合には、判別信号ＡＣＳＩは常時“Ｈ”レベルになる。このため、メモリＤＣＳＷは各判別処理時に図５における１２１及び１２６の処理で“０ＢＨ”以上にされ、その最上位ビットは常に“１”となる。一方、判別信号ＡＣＳＩの“Ｌ”レベルが検出されることはないため、メモリＡＣＳＷの最上位ビットは常時“０”のままである。したがって、判別処理の開始後からＡＣ電源又はＤＣ電源が入力されていることを判別するために必要な最長の期間が経過した時に、ＤＣＳＷの最上位ビットが“１”でＡＣＳＷの最上位ビットが“０”で変化しない状態であることから、電源が入力されていないことが判別される。
【００３５】
図７は、上記制御部のランプ駆動処理時の処理手順を示すフローチャートである。制御部９は、図５に示した判別処理結果に基づいて、ランプ点灯回路７にランプオン／オフ信号を出力するとともに、電源部４に出力電圧切換信号を出力する。このため、制御部９は、先ず、電源部４からの出力電圧の有無を判別し（１３１）、電源部４から電圧が出力されている場合にはメモリＡＣＳＷの最上位ビットが“１”であるか否かの判別を行なう（１３２）。
【００３６】
制御部９は、メモリＡＣＳＷの最上位ビットが“１”である場合にはメモリＤＣＳＷの最上位ビットが“１”であるか否かを判別し（１３３）、メモリＤＣＳＷの最上位ビットが“１”である場合にはＡＣ電源が入力されている状態であると判断し、電源部４における出力電圧を常時用電圧に設定するための出力電圧切換信号を出力してランプ１を点灯する（１３４，１３６）。
【００３７】
一方、メモリＡＣＳＷの最上位ビットが“１”であってメモリＤＣＳＷの最上位ビットが“０”である場合には、制御部９は、電源外置型の誘導灯装置２０における非常時であって、外部からＤＣ電源が入力されている状態であると判断し、電源部４における出力電圧を非常時用電圧に設定するための出力電圧切換信号を出力してランプ１を点灯する（１３５，１３６）。
【００３８】
また、電源部４から電圧が出力されていない場合には、制御部９は、電池内蔵型の誘導灯装置１０における非常時であると判断し、ランプ１を点灯する（１３１→１３６）。
【００３９】
これに対して、電源部４から電圧が出力されている状態でメモリＡＣＳＷの最上位ビットが“０”である場合には、制御部９は、常時オン／オフスイッチ２がオフ側に操作されていると判断し、ランプ点灯回路部７に対してランプオフ信号を出力してランプ１を消灯する（１３２→１３７）。
【００４０】
以上の構成により、この実施形態に係る誘導灯用電源回路によれば、判別回路８から制御部９に入力される単一の判別信号ＡＣＳＩのみにより、制御部９を構成するマイクロコンピュータのピン数の増加や新たな回路の追加を伴うことなく、ＡＣ電源の入力状態、ＤＣ電源の入力状態、又は、電源入力が無い状態のいずれであるかを正確に判別することができる。
【００４１】
また、判別回路８は、従来の誘導灯用電源回路を構成する常時オン／オフ検出回路に比較してコンデンサやトランジスタ等の部品数が少ないため、回路構成の簡略化によるコストダウンを実現できる。
【００４２】
さらに、制御部９は、電源外置型の誘導灯装置２０においてもＡＣ電源３の入力状態とＤＣ電源１１の入力状態とを峻別して常時であるか非常時であるかを判別し、この判別結果にしたがって電源部４に対して出力電圧切換信号を出力してランプ１の駆動電圧を切り換えるため、電源外置型の誘導灯装置においても常時と非常時とでランプ１の光量を変化させることができる。これによって、例えば、常時と非常時との光束比６８％を容易に実現することができる。
【００４３】
加えて、電池内蔵型の誘導灯装置１０から電池充放電切換部５及び内蔵電池６を取り除くだけで電源外置型の誘導灯装置２０に適用することができ、電池内蔵型の誘導灯装置１０と電源外置型の誘導灯装置２０とにおいて電池充放電切換部５及び内蔵電池６以外の構成は完全に一致するため、部品及び製造工程の共通化が促進され、製造コストの低廉化を実現できる。
【００４４】
【発明の効果】
この発明によれば、以下の効果を奏することができる。
【００４５】
(1) 電源部に対するＡＣ電源の入力波形、又は、ＤＣ電源の入力波形に基づいて判別回路から２値の判別信号を出力し、この判別信号の内容に応じて変化する第１及び第２の記憶手段の記憶内容に基づいてＡＣ電源が入力されている状態、ＤＣ電源が入力されている状態、又は、電源が入力されていない状態のいずれの状態であるかを判別することにより、電源部に対する電源の入力波形に基づいて作成した判別信号から３種類の入力状態を直接判別することができ、簡単な構成の判別回路において作成された判別信号によって容易かつ正確に電源の入力状態を検出することができる。また、電源部の前段に対する電源の入力波形から作成された判別信号に基づいて入力状態を判別するため、入力状態の判別処理に電源部の後段における回路構成の影響を受けることがなく、電池内蔵型の誘導灯装置と電源外置型の誘導灯装置とにおいて電源部の後段に選択的に配置される電池充放電切換部及び内蔵電池以外の構成を完全に共通化することができ、部品点数の削減、及び、製造工程の簡略化によるコストダウンを実現できる。
【００４６】
(2) 判別信号の内容に応じて所定時間間隔で所定回数変化された後の第１及び第２の記憶手段の記憶内容に基づいて電源の入力状態を判別することにより、電源の入力波形及び判別信号におけるノイズ成分の影響を受けることなく電源の入力状態を正確に判別することができる。
【００４７】
(3) ＡＣ電源が入力されている状態とＤＣ電源が入力されている状態とで異なるランプ駆動電圧を電源部に設定する出力電圧切換信号を制御部から出力することにより、電源外置型の誘導灯装置においても、ＡＣ電源が入力される常時とＤＣ電源が入力される非常時とにおいてランプの光量を容易に変更することができ、所定の光束比を容易に実現できる。
【図面の簡単な説明】
【図１】この発明の実施形態に係る誘導灯用電源回路を適用した電池内蔵型の誘導灯装置及び電源外置型の誘導灯装置の構成を示す図である。
【図２】上記誘導灯用電源回路に含まれる判別回路の構成を示す図である。
【図３】上記誘導灯用電源回路を電源外置型の誘導灯装置に適用した場合における判別回路から制御部に入力される判別信号を示す図である。
【図４】上記誘導灯用電源回路を適用した電源外置型の誘導灯装置に対するＡＣ電源の入力波形と判別回路から制御部に入力される判別信号との関係を示す図である。
【図５】上記誘導灯用電源回路を適用した電源外置型の誘導灯装置における制御部の判別処理時の処理手順を示すフローチャートである。
【図６】上記制御部におけるＡＣ電源の入力状態、ＤＣ電源の入力状態及び電源入力無しの状態の検出時の判別処理の具体例を示す図である。
【図７】上記制御部のランプ駆動処理時の処理手順を示すフローチャートである。
【図８】従来の電池内蔵型及び電源外置型の誘導灯装置の構成を示す図である。
【図９】従来の誘導灯装置に適用される電源回路を構成する常時オン／オフ検出回路の構成を示す図である。
【図１０】従来の誘導灯装置に適用される電源回路を構成する制御部の処理手順の要部を示すフローチャートである。
【符号の説明】
１−ランプ
２−常時オン／オフスイッチ
３−ＡＣ電源
４−電源部
５−電池充放電切換部
６−内蔵電池
７−ランプ点灯回路部
８−判別回路
９−制御部
１０−電池内蔵型の誘導灯装置
１１−ＤＣ電源
２０−電源外置型の誘導灯装置
【図１】
0003671244.tif 000002
【図２】
0003671244.tif 000003
【図３】
0003671244.tif 000004
【図４】
0003671244.tif 000005
【図５】
0003671244.tif 000006
【図６】
0003671244.tif 000007
【図７】
0003671244.tif 000008
【図８】
0003671244.tif 000009
【図９】
0003671244.tif 000010
【図１０】
0003671244.tif 000011